(57)【要約】【課題】冷蔵庫等に収納する飲料水用のプラスチック瓶は案外重いものが多いので老年や幼児には持つことや運ぶことは掴むことも又運ぶことも容易でないが、携帯式で取付容易な把手により解決するものである。【解決手段】  前頭部、瓶支持部及び両者をつなぐ連結部からなり、瓶支持部には、瓶を載せることができる延出部を設けており、前記瓶支持部には、延長部を備えている把手であって、前頭部には環状部及びスリット部を備えている。又、前頭部、瓶支持部及び両者をつなぐ連結部からなり、弾性部材からなり、各部材はほぼ直線状となっている把手である。【選択図】  図２
2007314206.tif 000002
【特許請求の範囲】
【請求項１】
前頭部、瓶支持部及び両者をつなぐ連結部からなり、瓶支持部には、瓶を載せることができる延出部を設けていることを特徴とする瓶等に使用する把手
【請求項２】
前記瓶支持部には、延長部を備えたことを特徴とする請求項１記載の瓶等に使用する把手
【請求項３】
前記前頭部には、瓶等の首部に引っかかる環状部及びスリット部を連結部の厚み部に連接して備えたことを特徴とする請求項１記載の瓶等に使用する把手
【請求項４】
前頭部、瓶支持部及び両者をつなぐ連結部からなり、弾性部材からなり、各部材は直線状となっていることを特徴とする請求項１，２又は３記載の瓶等に使用する把手
【発明の詳細な説明】
【技術分野】
【０００１】
本発明は、液体用瓶等の運搬の為の把手に関し、特に、飲料水や果汁用の瓶やボトルなどに簡単に取り付けられ運搬できるものに関する。
【背景技術】
【０００２】
現在水などの飲料水は販売されており、２リットル瓶が家庭では主流である。そして、それら飲料瓶の運搬は、把手や取っ手がない場合が多いので、瓶のキャップ部分をつかだり、胴体部分を両手などでつかんで運んだり、又は冷蔵庫などから取り出していた。又、従来提案されていた把手は、外れ易かったり、凹凸部のある瓶でなければ取り付けが難しかった。
【特許文献１】特開平９−２１６６３４号公報
【発明の開示】
【発明が解決しようとする課題】
【０００３】
上記の従来の構成では、例えば、飲料水などボトル瓶などを冷蔵庫から取り出したり、又入れたりする場合に、かなりの重量があるので、老人や子供などが行う場合には、掴みにくく、且つ重い為に、負担となっており、手に余り落とすことも少なくない。
【０００４】
又、逆に瓶に取っ手がある場合には、狭い冷蔵庫に取っ手分スペースを要し収納しにくい欠点があった。また、製造コストも上がり、その分、瓶価格の上昇を来すことにもなっていた。
【０００５】
更には、取り付けることが出来る取っ手が提案されているが、瓶側に凹凸部がある場合には、取り付け易く外れにくい利点があるが、それがない場合には、取り付けが容易でない欠点があった。
【０００６】
本発明は、上記の問題点を改善して、老人や子供などが容易に瓶に取り付けでき、簡単に運搬ができ又冷蔵庫などからも容易に取り出すことができ、しかも冷蔵庫などでもスペースを余分に要しない把手を得ることを目的とする。
更には、瓶側に凹凸部がなくても取り付けることができる把手を得ることに有る。
又非使用時には、携帯自在となるものを得る。
【課題を解決するための手段】
【０００７】
上記の課題を解決するために本発明では、前頭部、瓶支持部及び両者をつなぐ連結部からなり、瓶支持部には、瓶を載せることができる延出部を設けている瓶等に使用する把手を提供する。
【０００８】
更に、前記瓶支持部には、延長部を備えたもので、瓶を机上へ載置したときに安定させることができる。
【０００９】
前記前頭部には、瓶等の首部に引っかかる環状部及びスリット部を連結部の厚み部に連接して備えた把手を提供する
【００１０】
前頭部、瓶支持部及び両者をつなぐ連結部からなり、弾性部材からなり、各部材は弾性があるので、非使用時は直線状となっている、瓶等に使用する把手を提供する。
【発明の効果】
【００１１】
本発明は、上記のように、老人や子供などが、瓶の形状に拘わらず容易に瓶に取り付けでき、簡単に運搬ができ又冷蔵庫などからも容易に、片手でも取り出すことができる。
【００１２】
しかも冷蔵庫などでも、把手は可動するので、瓶側に張り付くことができ、他の瓶等の邪魔にならず、スペースを余分に要しない利点がある。
【００１３】
更に、通常は、瓶に取り付けないときは、三次元ではなく直線状としておけるので、持ち運びが容易であり、携帯自在で多数運ぶことも可能である。
【００１４】
また、飲料瓶等が使用し終わった後は、把手は、容易に取り外すことができるので、再利用することもでき経済的である。
【発明を実施するための最良の形態】
【００１５】
本発明の実施の形態を実施例に基づき、図面を参照して説明する。図１は本発明の実施例の一つである。
図２で示されるように、把手１を、市販の飲料水用のプラスチック瓶５に取り付けた状態を示している。
該把手１は、図１に示すように、主に３つの部分からなり、一は、瓶５の胴部５０へ挿着される瓶支持部２、一は瓶２の首部５１へ掛かる前頭部３、その両者をつなぐ連結部４とからなる。把手１は、プラスチックで一体成形が可能であるが、別体として接着剤などで組み合わせることもできる。
【００１６】
材料は、プラスチック材などの弾性材からなるが、瓶を運ぶ程度の剛性を有さねばならない。勿論、弾性部材からなる部材としては、プラスチックの外種々の材料が当業者によって採用できる。例えば、薄板状の鉄材や硬質な紙材でもできる。通常は、図１に示すように、三次元ではなく、弾性があれば、殆ど直線状になっており、瓶に掛けるときには、図２に示すような状態となる。しかし、少しの撓み、例えば弓状のような形状をしていてもかまわない。
【００１７】
即ち、瓶支持部２は、瓶５に挿入させる為、挿着部２０１が設けられており、該挿着部２０１は、瓶５を支持する枠体２０が挿着部２０１周囲を囲んでいる。又、連結部４から延びている延長部２２０が挿着部２０１内へ向かって突き出すように設けられている。
これは、瓶５へ掛けたときに、図２の（２）に示すように、前部（図から見て左側）が円弧状部２１０の延出部２００の厚み分だけ、反対側は下がってしまうので、延長部２２０の先端部２２１がその分延長して補正することになっている。勿論厚みが薄い場合は必要はないときも考えられる。
又、その先端部２２１は、図２の（２）に示すように、内側に曲がっていると安定に寄与することも可能である。
【００１８】
又、延長部２２０の形状は、図２の（３）に示すように扇状とすれば、より安定がえられる。又リブ２４０を設ければ強度を増すことが出来る。前部にも同様にリブ２３０を設けることが出来る。
【００１９】
又、プラスチック瓶５を載せるための平坦な延長部２００が、好ましくは、連結部４から見て、反対側の円弧状部２１０に連接して延出して形成されているので、瓶５に載せたときに瓶５からの逸脱を防ぐことが出来る。
延長部２００は、図２に示すように設けることが好ましいが、側部又は前部でも設けることはできる。なお、円弧状部２１０の連接された延長部２００に対して、該円弧状部２１０はやや図１の（１）に示すように、立ち上がっていると、瓶が外れ難い。
又、立ち上がる以外にも、円弧状部２１０との境界に段差を設けても外れ難くすることができる。
【００２０】
このため、瓶５に掛けたときに、瓶の前部及び底部に掛かり脱落することなく抜け落ちない。
【００２１】
前頭部３には、瓶５の首部５１へ掛かる環状部３０が設けられる。瓶体には、殆どキャップ５０１が設けられているので、その瓶５の首部５１へ挿着可能である。該環状部３０は、瓶５のキャップ５０１へ嵌るように、図２に示すように、環状からなっており、直線方向にスリット部３１が設けられる。スリット部３１と環状部３０の境界には、喉部３００が設けられおり、瓶５の首５１へ掛けたときに、該喉部３００によって瓶５の首部５１から脱落しないようになっている。
【００２２】
又スリット部３１は、瓶５の首部５１の口径が環状部３０の径より大なるときには、広がり挿着を助ける。なお、スリット部３１は、弾性材で形成されるので、広がることは可能なので、設けなくてもよいが、挿着を更に容易にすることは理解される。把手はプラスチックのような弾性部材で形成されているので、瓶５の首部５１へ係合した後は、元の環状部３０の口径の形状へ戻るので、外れることはない。
又、スリット部３１の先端は、応力集中が起きないように、環状部３１０が設けられており、先端へ応力集中が起きないようになっている。
又図２の（３）に示すように、単に、その環状部３１０の代わりに、その端部が厚み部４０で終わっていてもよい。
【００２３】
把手１の瓶支持部２と前頭部３とをつなぐ連結部４は、瓶５へ取り付けたときに、取っ手ともなるもので、図１に示すように、他の前頭部３や瓶支持部２に比べてより強度を持たせ他の前頭部３や瓶支持部２に対して、他部に比べてより厚い、厚み部４０を有している。この場合、前頭部３や瓶支持部２は、比較的弾性的であってもよいが、連結部４は把持しなければならないので、より硬質でなければならない意味である。そこで、瓶４に掛けて持っても取っ手としての役割を果たせる。
又スリット部３１に対して厚みのある厚み部４０がある場合には、スリット部３１からの破断を防ぐ効果がある。
【００２４】
以上により、把手１を瓶５に対して、簡単に瓶５の胴部５０へ瓶支持部２の挿着部２０１を瓶の胴部５０に対して挿入し、瓶の溝部へ取付けたり、且つ前頭部３を瓶５の首５１へ挿着させて、取り付ける。瓶支持部２は瓶５の前部へは、図２の（１）に示すように、
円弧状部２１０の延出部２００が瓶の前部及び底部が載っ掛かるので、外れることはない。即ち、瓶に凹凸部がなくても、本発明の把手は取り付けることが出来る。
又後方は、延長部２２０の先端部２２１が、支えているので、机上においても転倒することはない。
取付後は、連結部４を持って運ぶことができる。又、購入後や非使用時には、環状部３０や挿着部２０１があるので、台所の壁等に吊り下げておけ、又弾性がある場合には直線状となっているので、場所もとらない。
【００２５】
冷蔵庫などへ収納するときは、そのまま冷蔵庫のポケットへ装着するが、把手１は弾性を有しており、瓶５に対して手が挿入できるための間隙があるので、可動でき、従って、ポケットの隣りに他の瓶とうがあっても、弾性があれば、瓶５体に押しつけられて縮まり、固定式な把手に比べて容積を取らないで、収納することができる。
【００２６】
以上本発明の技術思想は、上記の実施例に限定されず当業者によって種々の実施例が考えられることは勿論である。
【図面の簡単な説明】
【００２７】
【図１】本発明の実施例の一つである把手の全体図である平面又は側面を示す
【図２】本発明の実施例の一つである把手を瓶に取り付けた状態を示す。
【符号の説明】
【００２８】
１        把手 
２        瓶支持部
２０ 枠体 
２１      係合部
２００    延出部
２１０    円弧状部
２２０    延長部
２２１    先端部
３        前頭部 
３０      環状部
３１      スリット部
３００    咽喉部
４        連結部 
４０      厚み部
５        瓶 
５０１    キャップ 
５１      首部 
【図１】
2007314206.tif 000003
【図２】
2007314206.tif 000004